(57)【特許請求の範囲】
【請求項１】
支持線に沿って新設ケーブルを架渉する際に前記支持線に懸吊され前記新設ケーブルを保持する架渉用金車であって、前記支持線を懸吊可能とする懸吊アームと前記新設ケーブルの保持をなす金車フレームとの間に回動接続点を設け両者を回動可能に連結し、前記新設ケーブル自重により前記回動接続点まわりに発生する回転モーメントにより、前記支持線を前記懸吊アームと前記金車フレームとで挟み込み可能に形成し、前記懸吊アームにおける前記支持線の接触部分と前記回動接続点との間には、前記金車フレームの案内面に先端が接触する押開きアームを回動可能に取り付け、前記押開きアームの回動動作にて前記懸吊アームと前記金車フレームとの間に支持線挿通口を形成可能としたことを特徴とするアーム回動型金車。
【請求項２】
前記金車フレームには長尺棒を係止させる係合突起を設けたことを特徴とする請求項１に記載のアーム回動型金車。
【発明の詳細な説明】
【０００１】
【発明の属する技術分野】
本発明は架渉用金車に係り、特に電柱間に張り渡された支持線（あるいは既設ケーブル）に沿って新設ケーブルを架渉する際に、前記支持線に懸吊されつつ新設ケーブルを保持するアーム回動型金車に関する。
【０００２】
【従来の技術】
従来、電柱間に張り渡された支持線（あるいは既設ケーブル）に沿って新設ケーブルを架渉するためには、ロープを挿通した複数の金車を支持線に懸吊させ、その後新設ケーブル先端部に結束した前記ロープを牽引することで行っている。
【０００３】
図３は従来使用されている架渉用金車を示す説明図である。同図に示すような架渉用金車１ではその全体をＣ型に形成しており、その開口部分２には当該開口部分２を塞ぐようにヒンジ機構３が設けられている。そして当該ヒンジ機構３は、架渉用金車１の内側方向にのみ倒れ込み可能としており、架渉用金車１外部から支持線４および新設ケーブル５を押し付け、支持線４および新設ケーブル５と架渉用金車１の内部に取り込み可能としている。
【０００４】
【発明が解決しようとする課題】
しかし上述した架渉用金車１では支持線４にヒンジ機構３を押し当てるだけで、支持線４を架渉用金車１の内側に取り込み可能としているものの支持線４を取り込んだ後、架渉用金車１に外力が加わると支持線４に対し横滑りが発生し、等間隔に新設ケーブルを保持することができなくなるおそれがあった。
【０００５】
また上述した架渉用金車１では、当該架渉用金車１の内側への支持線４の進入は容易に行えるものの架渉用金車１の内側から外側へと支持線４を取り出すには、ヒンジ機構３を倒しながら架渉用金車１もしくは支持線４を移動させることが必要であった。このため作業員の高所による取り外し作業が必要となり、多大な労力を必要としていた。
【０００６】
本発明は上記従来の問題点に着目し、支持線に対する横滑りの発生を抑えるとともに、地上からの操作にて支持線からの取り外しが容易に行えるアーム回動型金車を提供することを目的とする。
【０００７】
【課題を解決するための手段】
本発明は金車本体および新設ケーブルの自重を利用して支持線を締め付けるようにすれば、自重の増加に伴い支持線を挟み込む力も増えるので、支持線と金車本体との間に発生する横滑りの発生を抑えることができるという知見に基づいてなされたものである。
【０００８】
すなわち上記目的を達成するために本発明に係るアーム回動型金車は、支持線に沿って新設ケーブルを架渉する際に前記支持線に懸吊され前記新設ケーブルを保持する架渉用金車であって、前記支持線を懸吊可能とする懸吊アームと前記新設ケーブルの保持をなす金車フレームとの間に回動接続点を設け両者を回動可能に連結し、前記新設ケーブル自重により前記回動接続点まわりに発生する回転モーメントにより、前記支持線を前記懸吊アームと前記金車フレームとで挟み込み可能に形成し、前記懸吊アームにおける前記支持線の接触部分と前記回動接続点との間には、前記金車フレームの案内面に先端が接触する押開きアームを回動可能に取り付け、前記押開きアームの回動動作にて前記懸吊アームと前記金車フレームとの間に支持線挿通口を形成可能な構成とした。そしてこのような構成のアーム回動型金車において、前記金車フレームには長尺棒を係止させる係合突起を設けるようにすると良い。
【０００９】
【作用】
上記構成によれば、支持線に懸吊アームを係止させると、金車フレームに保持される新設ケーブルからの自重が回動接続点を中心とした回転モーメントとして働く。この回転モーメントの作用により懸吊アームと金車フレームとは回動し、両者にて支持線を挟み込むので支持線に対して金車本体の横滑りを防止することができる。そして新設ケーブルの自重の増減にて回動接続点を中心とした回転モーメントも増減することから、新設ケーブルの自重が変動してもそれに応じた締付力が支持線に働き確実に横滑りの発生を防止することができる。
【００１０】
また懸吊アームに設けた押開きアームは、懸吊アームにおける支持線の接触部分と回動接続点との間に配置されているので金車本体を上方に持ち上げると押開きアームに支持線が当接し、押開きアームが回動する。そして当該押開きアームの回動により、懸吊アームが金車フレームから離反する方向に移動し、両者の間に支持線挿通口が形成される。その後金車本体を下方に移動させると支持線は支持線挿通口から金車外側へと移動し、このため金車本体の上下移動だけで支持線から金車本体を取り外すことができる。また、金車フレームに長尺棒を係止させる係合突起を設けるようにすることで、長尺棒を用いてアーム回動型金車を支持線の高さまで持ち上げることができる。
【００１１】
【発明の実施の形態】
以下に本発明に係るアーム回動型金車の具体的実施の形態を図面を参照して詳細に説明する。
【００１２】
図１は本実施の形態に係るアーム回動型金車が支持線に懸吊している状態を示す状態図である。同図に示すようにアーム回動型金車１０は、支持線１２への懸吊をなす懸吊アーム１４と、新設ケーブル１６の案内をなす転動ローラ部１８と、懸吊アーム１４を回動可能に接続するとともに転動ローラ部１８の保持を行う金車フレーム２０とで構成されている。
【００１３】
金車フレーム２０は、断面コ字状となるよう板金を折り曲げ形成した棒状の形態となっており、その折り曲げ間隔は懸吊アーム１４の厚みを十分に許容できるだけの寸法に設定されている。そして金車フレーム２０の片側端部には、転動ローラ部１８とピン結合を行うためのピン取付穴２２が設けられており、転動ローラ部１８をピンまわりに回動可能に保持できるようにしている。一方金車フレーム２０の他方端部側におけるコ字状先端には支持線１２との接触をなすストッパ部２４が設けられており、懸吊アーム１４の回動動作により支持線１４にストッパ部２４が接触できるるようになっている。また金車フレーム２０の断面底部となる案内面２６には四角状の逃げ穴２８が設けられ、懸吊アーム１４の回動によって当該懸吊アーム１４と金車フレーム２０とが接触するのを防止できるようになっている。そして逃げ穴２８における長手方向の長さは、懸吊アーム１４と金車フレーム２０とで支持線１２を挟み込んだ際、懸吊アーム１４の先端が逃げ穴２８に干渉しないだけの寸法に設定される。
【００１４】
またこうした金車フレーム２０における案内面２６反対側には、クランク状に形成された係合突起３０が設けられている。これは針金をクランク状に折り曲げ、その先端を案内面２６に挿通させネジ螺合により一体結合させたもので、これにより金車本体の外方に係合突起３０を形成している。そしてこの係合突起３０は地上から金車を支持線に着脱する操作に用いられる。
【００１５】
ピン取付穴２２には転動ローラ部１８がピン結合により取り付けられる。当該転動ローラ部１８には、新設ケーブル１６を案内する転動ローラ３２が円弧状に配列されており、新設ケーブル１６を転動ローラ３２の包絡線に沿ってカーブ（円弧）状に案内することが可能となっている。なお本実施の形態における転動ローラ部１８は、新設ケーブル１６をカーブ状に案内する形態としたがこれに限定されるものではなく、例えば新設ケーブル１６を支持線１２と平行に案内するような形態としてもよい。
【００１６】
支持線１２への懸吊をなす懸吊アーム１４はく字状に形成され、その厚みは逃げ穴２８における幅寸法より狭く設定されている。そして懸吊アーム１４と金車フレーム２０とは、回動接続点３４によって回動可能に接続される。ここで回動接続点３４の位置は、新設ケーブル１６からの荷重方向となるピン取付穴２２とストッパ部２４とを結ぶ線分２５（図中一点鎖線）に対し、懸吊アーム１４に接する支持線１２と回動接続点３４とを結ぶ線分２７（図中一点鎖線）が交差するように設定される。
【００１７】
懸吊アーム１４における支持線１２と回動接続点３４との間には、懸吊アーム１４に対して回動可能とする押開きアーム３６が設けられており、当該押開きアーム３６は回動の際その先端が金車フレーム２０の案内面２６に沿って当接していくだけの長さを有している。このため押開きアーム３６の回動動作によって懸吊アーム１４と金車フレーム２０とを開脚方向に移動させ、両者の間に支持線挿通口３８（図２参照）を形成可能にしている。また押開きアーム３６の懸吊アーム１４への取り付けは当該懸吊アーム１４の両側を挟み込むようにして回動固定がなれているため、案内面２６における逃げ穴２８範囲を押開きアーム３６の先端が通過しても当該押開きアーム３６が逃げ穴２８に入り込むことはない。このため確実に案内面２６上を移動することができる。
【００１８】
このように構成されたアーム回動式金車１０を支持線１２に懸吊する手順を説明する。図２は同金車を支持線に懸吊する際の作業状態を示す作業説明図である。同図に示すように、地上側から支持線１２にアーム回転型金車１０を懸吊させるには、転動ローラ部１８にあらかじめ新設ケーブル１６を挿通させておくとともに、懸吊アーム１４を金車フレーム２０に対し回動させ、両者の間に支持線挿通口３８が形成されるようにしておく。そして図示しない長尺棒を係合突起３０に係止させるとともに長尺棒を用いアーム回動型金車１０を支持線１２高さまで持ち上げる。
【００１９】
支持線１２を支持線挿入口３８からアーム回動型金車１０内側に取り入れた後、支持線１２を懸吊アーム１４の最奥部（く字状屈曲点）まで移動させる。そしてこの状態から長尺棒を引き下ろし金車本体を下降させると回動接続点３４を中心に懸吊アーム１４が回動し始める。ここで懸吊アーム１４は支持線１２が線分２５の延長線上に達するまで回動しようとするが、回動接続点３４は、前述の通り線分２５を越えた金車フレーム２０寄りに位置しているので、回動接続点３４のまわりには転動ローラ部１８の自重による荷重が加わり回転モーメント４０が発生する。そしてこの回転モーメント４０によりストッパ部２４が線分２５の延長線上に移動しようとする支持線１２を反時計方向に押しやり、懸吊アーム１４とストッパ部２４とで支持線１４を挟み込む。そしてこの支持線１２を挟み込む力は回転モーメント４０の大きさに比例することから、新設ケーブル１６に強風等でふれが発生し、転動ローラ部１８のみかけ上の自重が急激に増大しても、それに応じて支持線１２を挟み込む力も増大するので支持線１２に対する横滑りを確実に防止することができる。
【００２０】
また上記の手順により支持線１２に懸吊されたアーム回動型金車１０を支持線１２から取り外すには、再び係合突起に長尺棒を係止させアーム回動型金車１０を上方に持ち上げればよい。当該アーム回動型金車１０を上方に持ち上げると支持線１２が押開きアーム３６を押圧し当該押開きアーム３６を回動させる。そして押開きアーム３６の回動により、その先端が案内面２６上を移動し懸吊アーム１４と金車フレーム２６との間に支持線挿通口３８を形成するよう懸吊アーム１４を回動させる。そしてアーム回動型金車１０を今度は下方に移動させれば支持線１２は支持線挿通口３８から金車外部へと移動する。このように押開きアーム３６を懸吊フック１４に回動可能に取り付ければ、金車本体を上下に移動させるだけで支持線１２から金車本体を取り外すことができ、もってケーブル架渉作業の効率の向上を図ることができる。
【００２１】
【発明の効果】
以上説明したように本発明によれば、支持線に沿って新設ケーブルを架渉する際に前記支持線に懸吊され前記新設ケーブルを保持する架渉用金車であって、前記支持線を懸吊可能とする懸吊アームと前記新設ケーブルの保持をなす金車フレームとの間に回動接続点を設け両者を回動可能に連結し、前記新設ケーブル自重により前記回動接続点まわりに発生する回転モーメントにより、前記支持線を前記懸吊アームと前記金車フレームとで挟み込み可能にしたことから、支持線に対する横滑りの発生を抑えることができる。
【００２２】
そして前記懸吊アームにおける前記支持線の接触部分と前記回動接続点との間には、前記金車フレームに接触する押開きアームを回動可能に取り付け、前記押開きアームの回動動作にて前記懸吊アームと前記金車フレームとの間に支持線挿通口を形成可能としたことから、地上からの操作にて支持線からの取り外しを容易に行うことができる。また、金車フレームに長尺棒を係止させる係合突起を設けるようにすることで、長尺棒を用いてアーム回動型金車を支持線の高さまで持ち上げることができる。
【図面の簡単な説明】
【図１】アーム回動型金車が支持線に懸吊している状態を示す状態図である。
【図２】アーム回動型金車を支持線に懸吊する際の作業状態を示す作業説明図である。
【図３】従来使用されている架渉用金車を示す説明図である。
【符号の説明】
１          架渉用金車
２          開口部分
３          ヒンジ機構
４          支持線
５          新設ケーブル
１０          アーム回動型金車
１２          支持線
１４          懸吊アーム
１６          新設ケーブル
１８          転動ローラ部
２０          金車フレーム
２２          ピン取付穴
２４          ストッパ部
２６          案内面
２８          逃げ穴
３０          係合突起
３２          転動ローラ
３４          回動接続点
３６          押開きアーム
３８          支持線挿通口
４０          回転モーメント
【図１】
0003790945.tif 000002
【図２】
0003790945.tif 000003
【図３】
0003790945.tif 000004